(57)【要約】【課題】任意の移動局が発信した情報を特定エリア内に位置する不特定の移動局へ配信することができる情報配信システムおよび情報配信方法を提供する。【解決手段】複数の基地局を有する移動通信ネットワークにおける不特定の移動局に情報の同報配信を行うシステムにおいて、移動局（２０１）から情報を受信した基地局１０２の特定情報に基づいて配信エリアを決定し、配信エリアに対応する基地局に接続している不特定の移動局（２０２−２０４）へ前記一の情報の少なくとも一部の情報を同報配信する。【選択図】図１
2009130558.tif 000002
【特許請求の範囲】
【請求項１】
複数の基地局を有する移動通信ネットワークにおける不特定の移動局に情報の同報配信を行うシステムであって、
一の移動局から一の情報を受信した基地局の特定情報に基づいて配信エリアを決定する配信エリア決定手段と、
前記配信エリアに対応する基地局に接続している不特定の移動局へ前記一の情報の少なくとも一部の情報を同報配信する同報配信手段と、
を有することを特徴とする情報配信システム。
【請求項２】
前記一の移動局から前記一の情報を受信した基地局の特定情報と前記一の情報とを前記基地局から受信し、前記一の情報を公開する情報公開手段をさらに有し、前記情報公開手段は前記一の情報の少なくとも一部の情報と前記基地局の特定情報とを前記配信エリア決定手段へ送信することを特徴とする請求項１に記載の情報配信システム。
【請求項３】
前記情報公開手段は前記一の情報の公開位置情報を前記配信エリア決定手段へ送信し、前記同報配信手段は前記配信エリアに対応する基地局に接続している不特定の移動局へ前記一の情報の少なくとも一部の情報と前記公開位置情報とを同報配信することを特徴とする請求項２に記載の情報配信システム。
【請求項４】
前記一の移動局は、前記一の情報を所定の宛先情報を用いて送信することを特徴とする請求項１−３のいずれか１項に記載の情報配信システム。
【請求項５】
各移動局は、前記同報配信手段から同報配信された情報の受信の可否を判定するための条件を予め設定する設定手段を有することを特徴とする請求項１−４のいずれか１項に記載の情報配信システム。
【請求項６】
複数の基地局を有する移動通信ネットワークにおける不特定の移動局に情報の同報配信を行う同報配信制御装置であって、
一の移動局から一の情報を受信した基地局の特定情報に基づいて配信エリアを決定する配信エリア決定手段と、
前記配信エリアに対応する基地局に接続している不特定の移動局へ前記一の情報の少なくとも一部の情報を同報配信する同報配信手段と、
を有することを特徴とする同報配信制御装置。
【請求項７】
複数の基地局を有する移動通信ネットワークにおける不特定の移動局に情報の同報配信を行う方法であって、
一の移動局から一の情報を受信した基地局の特定情報に基づいて配信エリアを決定し、
前記配信エリアに対応する基地局に接続している不特定の移動局へ前記一の情報の少なくとも一部の情報を同報配信する、
ことを特徴とする情報配信方法。
【請求項８】
前記一の移動局から前記一の情報を受信した基地局の情報と前記一の情報とを前記基地局から受信した情報公開手段により前記一の情報を公開し、
前記情報公開手段から前記基地局の情報を受信して前記配信エリアを決定することを特徴とする請求項７に記載の情報配信方法。
【請求項９】
前記一の移動局は、前記一の情報を所定の宛先情報を用いて送信することを特徴とする請求項７または８に記載の情報配信方法。
【請求項１０】
各移動局は同報配信された情報の受信の可否を予め設定した条件に従って決定することを特徴とする請求項７−９のいずれか１項に記載の情報配信方法。
【請求項１１】
請求項５に記載の情報配信システムにおける移動局。
【請求項１２】
複数の基地局を有する移動通信ネットワークにおける不特定の移動局に情報の同報配信を行う同報配信制御装置の機能をコンピュータに実現するためのプログラムであって、
一の移動局から一の情報を受信した基地局の特定情報に基づいて配信エリアを決定する配信エリア決定手段と、
前記配信エリアに対応する基地局に接続している不特定の移動局へ前記一の情報の少なくとも一部の情報を同報配信する同報配信手段と、
を前記コンピュータに実現することを特徴とするプログラム。
【発明の詳細な説明】
【技術分野】
【０００１】
本発明は移動通信網における情報配信システムおよび情報配信方法に係り、特にセルブロードキャストサービス（Cell Broadcast Service、以下、適宜「ＣＢＳ」と略記する。）などの同報配信機能を利用して指定エリア内に存在する移動局ユーザに対し情報の同報配信を行う情報配信システムおよび情報配信方法に関する。
【背景技術】
【０００２】
セルブロードキャストサービスは、特定の地理的エリア（１以上のセル）内に位置するすべての移動局へＣＢＳメッセージを同報配信する機能であり、ＧＳＭ（Global System for Mobile Communications）およびＵＭＴＳ（Universal Mobile Telecommunications System）のためのＣＢＳに関する技術的仕様が規定されている（たとえば非特許文献１）。近年、このセルブロードキャストサービス機能を利用して天気、交通、災害等に関する情報を提供する技術が種々の提案されている。
【０００３】
例えば、特許文献１に開示された情報伝達システムによれば、災害が発生した場合、災害発生エリアの基地局が当該基地局の通信エリア内にある携帯端末に対して災害情報と送信先とを含むセルブロードキャストショートメッセージを送信する。セルブロードキャストショートメッセージを受信した携帯端末の所持者は、ショートメッセージ機能を使用して上記送信先に伝言を送信することができる。ショートメッセージサーバは、送信先が伝言ダイアルであれば、文字情報を音声情報に変換した後、伝言と発信元の携帯端末の電話番号とを対応付けて伝言ダイアルサーバに登録し、送信先が伝言掲示板であれば、伝言と発信元の携帯端末の電話番号とを対応付けて伝言掲示板サーバに登録する。
【０００４】
また、特許文献２には、開放型ＡＰＩ技術に基づいて、特定の情報提供者以外の第３の情報提供者にもセル放送サービス（ＣＢＳ）を容易に利用できるようにしたメッセージ放送サービス提供システムが開示されている。具体的には、情報提供者がメッセージ放送応用サーバに接続し、そのサーバから提供されたサービスインタフェースを用いて放送メッセージを作成し、放送地域を特定する。この放送メッセージおよび放送地域の情報が開放型ＡＰＩを通して移動通信システムのセル放送センタ（ＣＢＣ）で処理され、放送地域の全移動通信端末に放送メッセージが伝送される。
【０００５】
【特許文献１】特開２００７−２４３２４７号公報
【特許文献２】特開２００７−１０４６１７号公報
【非特許文献１】３ＧＰＰ  ＴＳ２３．０４１  Ｖ７．０．０
【発明の開示】
【発明が解決しようとする課題】
【０００６】
特許文献１によれば、予め設けられた災害検知装置からセルブロードキャストショートメッセージサーバへ災害発生が通知されると、災害発生エリアの基地局から当該基地局の通信エリア内にある携帯端末に対して災害情報の送信が行われる。しかしながら、最も早く現場の情報を入手し、最新状況を把握できるのは実際に現場付近に居合わせた人であることが多い。特許文献１には、このような現場に居合わせた人が容易に情報伝達できるシステムを開示していない。
【０００７】
他方、特許文献２によれば、情報提供者が移動通信端末を用いて放送メッセージを希望する地域の全移動通信端末へ伝送することができる。しかしながら、特許文献２のシステムでは、情報提供者が、所持する移動通信端末をメッセージ放送応用サーバに接続してサービスインタフェースの提供を受ける必要がある。さらに、情報提供者は、提供されたサービスインタフェースを通してメッセージ放送地域を指定しなければならない。このように、特許文献２に開示されたシステムでは、緊急情報を迅速に伝達しようとしても、所定のサーバへの接続、そのサーバからのインタフェースの提供という手順を経る必要があり、システムが複雑である上に操作手順が煩雑で緊急を要する情報の迅速な伝送が困難であった。
【０００８】
そこで、本発明の目的は、上述の課題を解決し、任意の移動局が発信した情報を配信エリア内に位置する不特定の移動局へ配信することができる情報配信システム、情報配信方法、および同報配信制御装置を提供することにある。
【課題を解決するための手段】
【０００９】
本発明による情報配信システムは、複数の基地局を有する移動通信ネットワークにおける不特定の移動局に情報の同報配信を行うシステムであって、一の移動局から一の情報を受信した基地局の特定情報に基づいて配信エリアを決定する配信エリア決定手段と、前記配信エリアに対応する基地局に接続している不特定の移動局へ前記一の情報の少なくとも一部の情報を同報配信する同報配信手段と、を有することを特徴とする。
【発明の効果】
【００１０】
本発明によれば、任意の移動局が発信した情報を配信エリア内に位置する不特定の移動局へ容易に配信することができる。
【発明を実施するための最良の形態】
【００１１】
１．システムの概略
図１は本発明の一実施形態による情報配信システムの概略的構成図である。ここでは、任意の地理的エリア内に位置する移動局に対して同報通信を行う機能を有する移動通信システムを用いた例を示す。移動通信システムは無線アクセスネットワーク１０１を有し、無線アクセスネットワーク１０１には複数の基地局（ＢＴＳ）１０２が含まれるものとする。また、説明を複雑にしないために、ここでは１つの基地局１０２の無線エリア１０２ｃ内に移動局２０１−２０４が接続しているものとする。また、各移動局には同報配信される情報を受信する機能が搭載されているものとする。
【００１２】
コアネットワーク１０３は同報配信制御局１０４を含み、同報配信制御局１０４は少なくとも配信エリア決定機能と同報配信機能とを有する。同報配信制御局１０４は、配信エリア決定機能によって基地局１０２のエリア情報に基づいて配信エリア１０２ｃを決定し、同報配信機能によって配信エリア１０２ｃ内の移動局２０２−２０４へ同報配信を実行する。
【００１３】
また、移動局から送信された情報を公開することができる情報公開サーバ１０５を設けて、コアネットワーク１０３により無線アクセスネットワーク１０１と接続することもできる。このような構成の場合には、情報公開サーバ１０５は公開情報あるいは公開情報に関する所定項目の情報を基地局１０２のエリア情報とともに同報配信制御局１０４へ送信する。同報通信制御局１０４は配信エリア決定機能と同報配信機能とを用いて、情報公開サーバ１０５から受信した公開情報あるいは所定項目の情報を特定エリア１０２ｃに同報配信することができる。
【００１４】
次に、情報公開サーバ１０５を用いない場合と用いる場合のそれぞれ情報配信システムにおいて、移動局２０１から送信された所定アドレス宛の情報が同じエリア内の他の移動局２０２−２０４へ同報配信される動作を説明する。
【００１５】
１．１）情報公開サーバ１０５を用いない場合
まず、移動局２０１から所定アドレス宛の情報が送信されると（Ｓ３０１）、その情報は、それを受信した基地局１０２から無線アクセスネットワーク１０１およびコアネットワーク１０３を通して同報配信制御局１０４へ転送される（Ｓ３０２）。本実施形態によれば、送信情報の宛先がキャリア側で決められた所定アドレスであるか否かが判断され、所定アドレス宛の情報は、それを受信した基地局１０２のエリア情報が付加されて同報配信制御局１０４へ転送される。
【００１６】
同報配信制御局１０４はエリア情報により特定される特定エリア１０２ｃの基地局１０２へ送信情報を伝送し（Ｓ３０３）、基地局１０２から特定エリア１０２ｃ内の不特定の移動局２０２−２０４へ送信情報が同報送信される（Ｓ３０４）。こうして移動局２０１から送信された情報が移動局２０１と同じあるいは近傍のエリア１０２ｃに接続している移動局２０２−２０４へ同報通知され各移動局で表示される。
【００１７】
１．２）情報公開サーバ１０５を用いる場合
まず、移動局２０１から所定アドレス宛の情報が送信されると（Ｓ３０１）、その情報は、それを受信した基地局１０２から無線アクセスネットワーク１０１およびコアネットワーク１０３を通して情報公開サーバ１０５へ転送される（Ｓ３１０）。本実施形態によれば、送信情報の宛先がキャリア側で決められた所定アドレスであるか否かが判断され、所定アドレス宛の情報は、それを受信した基地局１０２のエリア情報が付加されて情報公開サーバ１０５へ転送される。コアネットワーク１０３から受信した情報は情報公開サーバ１０５で所定の形式で公開される。
【００１８】
さらに、情報公開サーバ１０５は公開情報のうち所定項目の情報をコアネットワーク１０３を通して同報配信制御局１０４へ伝送する（Ｓ３１１）。所定項目の情報は、伝達すべきメッセージのジャンルとエリア情報とを少なくとも示す必要最小限の情報であることが望ましい。伝送情報量が小さいことはネットワーク負荷を軽減する観点からも望ましい。一例として、所定項目の情報は、移動局２０１が送信した情報の件名あるいは表題、移動局２０１から当該情報を受信した基地局１０２のエリア情報、および、情報公開サーバ１０５で公開されている当該情報の公開サイト情報を少なくとも含むことができる。
【００１９】
同報配信制御局１０４は所定項目情報をエリア情報により特定される基地局１０２へ伝送し（Ｓ３０３）、基地局１０２から特定エリア１０２ｃ内の不特定の移動局２０２−２０４へ所定項目情報が同報送信される（Ｓ３０４）。こうして移動局２０１から送信された情報の内容を示す所定項目情報が移動局２０１と同じあるいは近傍のエリア１０２ｃに接続している移動局２０２−２０４へ同報通知され、各移動局で表示される。なお、所定項目情報を受信した移動局２０２−２０４のユーザは、表示されたサイト情報にアクセスすることで、情報公開サーバ１０５で公開されているより詳しい情報を見ることも可能である。
【００２０】
上述したように、ユーザが緊急情報を同報通知しようとする場合、即座に同一エリアあるいは近隣エリア内にいる他の不特定のユーザへ当該情報を配信することができる。逆に、同一エリアあるいは近隣エリア内にいる他の移動局のユーザからの緊急情報を即座に取得することができる。したがって、情報の発生から同報配信までの間の人的および物理的な仲介が少ないので、そこから生じる遅延時間を最小限に抑えることが可能となる。
【００２１】
また、同報配信される情報は、まず内容を示す件名や公開先情報などの要点が配信され、それを見たユーザが必要に応じて公開情報サーバへアクセスすることで詳しい情報を得ることができる。このように情報量の小さいメッセージを最初に送信することで、ネットワークトラフィックの不要な増大を防止できる。
【００２２】
２．第１実施例
以下、一例として、セルブロードキャストサービスＣＢＳをコアネットワークの一部として含むＵＭＴＳネットワークを取りあげ、本発明の一実施例による情報配信システムおよびその動作を詳細に説明する。ただし、必ずしもＣＢＳ機能には限定されず、移動局が存在するエリアから当該エリアに存在する他の移動局に情報の同報配信を可能とする機能を備えた移動通信網であれば適用可能である。
【００２３】
２．１）システム構成
図２は本発明の第１実施例による情報配信システムを示すシステム構成図である。ＵＴＲＡＮ（UMTS Terrestrial Radio Access Network）は、複数の基地局(Node B)１０と無線ネットワーク制御局（ＲＮＣ：Radio Network Controller）１１とを含む。ここでは簡略化のために基地局１０．１および１０．２だけを図示し、基地局１０．２のセルに複数のユーザ端末（移動局）ＵＥ１−ＵＥ４がキャンプ接続されているものとする。
【００２４】
各移動局は、表示部やキー入力部を有するとともに、ＣＢＳ受信機能および通常のメール機能を有する通信端末であり、典型的には携帯電話機などの携帯通信端末である。ユーザが緊急情報メールを作成する場合には、移動局のメールソフトを立ち上げることで表示部にメッセージ作成画面が表示され、メールの件名やメッセージをキー入力部などを用いて書き込む。後述するように、メールの件名あるいは表題部分には、配信する緊急情報のジャンルを示すキーワードを含めることが望ましい。こうして当該メールは、宛先に所定の固定アドレスを指定して送信される。なお、後述するように、移動局には、ＣＢＳ受信機能のＯＮ／ＯＦＦ、ＣＢＳメッセージのタイプを特定するMessage ID毎のＯＮ／ＯＦＦを設定するスイッチが設けられ、同報配信されてきたＣＢＳメッセージをユーザの意思によって受信あるいは破棄することが可能となっている。
【００２５】
また、コアネットワークは、パケット交換をサポートするＳＧＳＮ(Serving GPRS Support Node)１２およびＧＧＳＮ(Gateway GPRS Support Node)１３と、後述するＣＢＳメッセージの配信エリアの決定および同報配信などの管理および制御を行うセルブロードキャストセンタ（ＣＢＣ：Cell Broadcast Center)１４と、ＩＰネットワーク１５とを含むものとする。ＩＰネットワーク１５の一例はインターネットである。
【００２６】
ＧＧＳＮ１３およびＣＢＣ１４は、ＩＰネットワーク１５を通してメールサーバ１６およびＷｅｂサーバ１７に接続可能である。本実施例では、メールサーバ１６およびＷｅｂサーバ１７が連携し、ユーザから送信されてきた緊急情報メッセージなどの情報を電子掲示板１８に公開する。具体的には、Ｗｅｂサーバ１７にユーザ発信型緊急情報配信用の電子掲示板１８のフォームが予め用意されており、次に述べるように、受信した緊急情報メッセージを電子掲示板１８上に１つのトピックとして公開することができる。
【００２７】
２．２）電子掲示板での公開
図３は電子掲示板による公開情報フォームの一例を模式的に示す図である。電子掲示板１８では、移動局ＵＥ１が発信したメールの件名に含まれるジャンルのキーワード（後述する「事故」、「事件」、「災害」、「故障」、「渋滞」など）に従って、ジャンル別にカテゴリ化されたトピックが形成される。この電子掲示板１８にアクセスしたユーザは、内容を確認し、トピックごとにコメントを書き込むことができる。緊急情報メッセージのトピックは上述したように緊急情報メールで立てることができ、コメントの書込はＷｅｂで行うことができる。図３に示す例では、ジャンル「事故」のトピックが４件あり、トピック１に１つの書き込み（書込み１）がアップされている。
【００２８】
なお、電子掲示板１８のレイアウト、表示形式は図３に限られるものではない。例えば、緊急情報メッセージの件名部分にキーワードとなる文字が入力されていない場合や、件名部分がブランクである場合であっても、公知または新規の検索アルゴリズムによりメッセージ中からキーワードを抽出し、これに基づいてジャンル分けを決定することも可能である。
【００２９】
また、配信情報としては緊急情報メッセージに限定されるものではない。たとえば、ある一定のエリアに存在する不特定多数の移動局への広告、宣伝等の情報であっても、緊急情報の場合と異なる固定アドレスを指定することで同様に電子掲示板１８を利用することも可能である。
【００３０】
２．３）情報配信シーケンス
次に、移動局ＵＥ１が緊急情報メッセージを所定の固定アドレスへメール送信し、本実施例による情報配信システムが緊急情報メッセージを同一セル内の他の移動局ＵＥ２−ＵＥ４に同報配信する場合を例にとって説明する。
【００３１】
図４は、図２に示す情報配信システムにおける情報配信手順を示すシーケンス図である。ここでは、情報配信システムを、発信側の移動局ＵＥ１、ＧＧＳＮ１３、メールサーバ１６・Ｗｅｂサーバ１７、ＣＢＣ１４および受信側の移動局ＵＥ２−ＵＥ４、に分け、それぞれの動作および配信シーケンスを具体的に説明する。
【００３２】
Ｓ１）緊急情報メール作成
まず、移動局ＵＥ１のユーザが何らかの緊急情報メッセージを発信する必要性が生じた場合、当該ユーザは移動局ＵＥ１の一般的なメール作成と同様の手法により緊急情報メッセージを作成する。作成された緊急情報メッセージは、緊急用宛先としてキャリア側で予め設定された固定アドレスを宛先アドレスとしてメール送信される（Ｓ１）。
【００３３】
一般に緊急情報メッセージの作成には迅速性が要求される。このため、一般的なメール送信の操作とは別に、例えば、予め移動局の操作部に「緊急情報メッセージ送信ボタン」などを設けておき、当該ボタンが操作されることで所定の固定アドレスを宛先としたメール作成画面が表示部に表示されるようにしてもよい。また、移動局ＵＥ１の表示部に表示されるメニューに「緊急情報送信メニュー」を表示させて、ユーザに選択させることで所定の固定アドレスを宛先としたメール作成画面が表示されるようにすることも好ましい。
【００３４】
このメールの件名あるいは表題部分には、配信する緊急情報のジャンルを示すキーワードを含めることが望ましい。ジャンルのキーワードとは、送信する緊急情報のカテゴリを指すものであり、例えば、事故、事件、災害、故障、渋滞などである。この場合、ユーザに文字入力をプロンプトで要求するようにしてもよいが、上記キーワードの一覧を表示部に表示させ、ユーザが選択できるようにすることも好ましい。選択されたジャンルはメールの件名あるいは表題に含まれる。
【００３５】
具体例としては、図４のステップＳ１に示すように、メールの件名を「落石事故発生（ΔΔΔ橋付近）」とし、本文はその内容を具体的に説明して、例えば「○○○山の麓、ΔΔΔ橋付近で落石発生、通行者注意」のように作成することができる。
【００３６】
Ｓ２）エリア情報付加
当該緊急情報メッセージのメールは、まず当該移動局ＵＥ１がキャンプ接続している基地局１０．２へ送信され、さらにＲＮＣ１１およびＳＧＳＮ１２を通してＧＧＳＮ１３へ転送される。ＧＧＳＮ１３は、発信元移動局ＵＥ１がキャンプ接続している基地局１０．２のセル情報をエリア情報として付加し、エリア情報が付加された緊急情報メッセージがＩＰネットワーク１５を通してメールサーバ１６へ送信される（Ｓ２）。
【００３７】
Ｓ３）アドレス判定およびメール情報公開
メールサーバ１６は、コアネットワークからメールを受け取ると、その宛先アドレスが所定の固定アドレスであるか否かを判断し、所定の固定アドレス宛であれば、そのエリア情報が付加された緊急情報メッセージをＷｅｂサーバ１７へ転送する。Ｗｅｂサーバ１７は、ユーザ発信型緊急情報配信用の電子掲示板１８に図３に示す形式で緊急情報メッセージを公開し、その公開先のサイトアドレスであるＵＲＬ(Uniform Resource Locator)、上述したエリア情報および当該メールのジャンル情報をコアネットワークのＣＢＣ１４へ送信する（Ｓ３）。
【００３８】
Ｓ４）配信エリアの決定
ＣＢＣ１４の配信エリア決定部は、エリア情報により特定される基地局１０．２の設置環境を考慮してＣＢＳメッセージの配信エリアを決定する（Ｓ４）。たとえば、基地局１０．２が都心部のように人口密度の高く基地局が密集している地域に設置されている場合には、基地局のセル単位ではなく、交換局の制御単位でＣＢＳメッセージ配信エリアを決定することが望ましい。すなわち、基地局１０．２の周辺に設置された基地局のセルも合わせた範囲を配信エリアに決定することができる。ＣＢＣ１４の同報配信部は、こうして決定された配信エリアに存在する移動局に対して変更した報知情報を配信する。なお、ＣＢＣ１４の配信エリア決定部および同報配信部については、コンピュータ上でプログラムを実行することにより同じ配信エリア決定機能および同報配信機能を実現することができる。
【００３９】
Ｓ５）ＣＢＳメッセージの受信開始
報知情報を受信した移動局はＣＢＳメッセージ配信があることを認識し、ＣＢＳメッセージの受信を開始する（Ｓ５）。
【００４０】
Ｓ６）ＣＢＳメッセージの配信
ＣＢＣ１４の同報配信部は、決定された配信エリアにキャンプ接続している移動局に対して、緊急情報メッセージの件名、ジャンルおよび電子掲示板７の公開先ＵＲＬをＣＢＳメッセージを用いて配信する（Ｓ６）。
【００４１】
Ｓ７）ＣＢＳメッセージの認識
ＣＢＳメッセージを受信した移動局は、既に述べたようにＣＢＳ受信機能およびMessage IDのＯＮ／ＯＦＦを事前に設定しておけば、その事前設定条件に従って受信したＣＢＳメッセージを認識し、その受入あるいは破棄を自動決定することができる（Ｓ７）。受信したＣＢＳメッセージを受け入れた移動局は、受信した緊急情報メッセージの件名、ジャンルおよび公開先ＵＲＬを所定のフォーム２０で表示部に表示する（図２参照）。
【００４２】
ＣＢＳメッセージは受信側のユーザの意思に関わらず同報配信されるので、必ずしも受信側のユーザがその受信を希望しているとは限らない。その内容が宣伝、広告等の情報である場合は、勿論であるが、例えば、緊急情報メッセージであっても、車を運転しないユーザにとって渋滞に関する緊急情報は不要な場合が多いと考えられる。そこで、本実施例における移動局では、予めユーザが配信を希望するＣＢＳメッセージのみを受け入れて表示することを可能とし、受信側のユーザの意思により情報の取捨選択を可能としている。
【００４３】
Ｓ８）公開先へのアクセス
ＣＢＳメッセージが表示されると、ユーザは表示された公開先ＵＲＬへアクセスして、電子掲示板１８のトピックを確認することができ、さらに当該トピックに対するコメントを書き込むことができる（Ｓ８）。言い換えれば、緊急情報の要点はＣＢＳメッセージにより同報配信されるが、より詳しい情報はユーザ自身が主体的にサーバへアクセスして受け取ることになる。
【００４４】
２．４）効果
以上説明したように、本実施例によれば、ユーザが任意の緊急情報を得た場合、特定の宛先アドレスのメールを作成して送信するだけで、即座に同一エリアあるいは近隣エリア内にいる他の不特定のユーザへ当該情報を配信することができる。逆に、同一エリアあるいは近隣エリア内にいる他の移動局のユーザからの緊急情報を即座に取得することができる。したがって、既存の情報配信システムに比べて人的および物理的な仲介が少ないので、そこから生じる遅延時間を最小限に抑えることが可能となる。
【００４５】
さらに、緊急情報は、まず内容を示す件名や公開先情報などの要点が配信され、それを見たユーザが必要に応じて公開先へアクセスすることで詳しい情報を得ることができる。このように最初は情報量の小さいメッセージを送信するだけであるから、ネットワークトラフィックの不要な増大を防止できる。
【００４６】
さらに、本実施例によれば、ユーザの関心に沿った緊急情報を即座に入手することが可能である。既存の情報配信システムに比べ特定地域の規模が小さく、いち早くそのエリアに特化した緊急情報を配信することができるためである。特にＣＢＳ受信機能およびMessage IDのＯＮ／ＯＦＦを事前に設定しておけば、その事前設定条件に従って受信したＣＢＳメッセージを認識し、その受入あるいは破棄を自動決定することができるので、ユーザの意思に従った自動的なスクリーニングが可能となる。
【００４７】
３．第２実施例
本発明は、上述の実施例に限定されるものではなく、本発明の要旨を逸脱しない範囲において他の変形例あるいは実施例が可能である。例えば、緊急情報メッセージをメールで送信するのではなく、ユーザが移動局の電話機能を用いて音声情報として送信することも可能である。以下、ユーザが音声緊急情報メッセージを送信する情報配信システムについて説明する。尚、上述の第１実施例と同様の構成については説明を省略する。
【００４８】
図５は本発明の第２実施例による情報配信システムを示すシステム構成図である。本実施例では、コアネットワークに回線交換をサポートするＭＳＣ(Mobile-service Switching Center)３０およびＧＭＳＣ(Gateway MSC)３１が設けられ、ＧＭＳＣ３１は公衆網３２を通して緊急情報格納サーバ３３に接続可能であるとする。
【００４９】
緊急情報格納サーバ３３には、キャリア側で固定した所定の電話番号（あるいはアドレス）が予め設定されている。緊急情報格納サーバ３３は音声情報を登録するためのサーバであるが、音声情報を文字情報に変換する機能を有し、文字情報をＣＢＣ１４あるいはＷｅｂサーバ１７へ送信するものとする。
【００５０】
本実施例において、まず緊急情報を発信したいユーザは、移動局ＵＥ１の電話機能を用いて固定電話番号に電話をかけ（Ｓ１０）、音声にて緊急情報メッセージを緊急情報格納サーバ３３に登録する（Ｓ１１）。登録されたメッセージは、緊急情報格納サーバ３３の音声文字変換機能によって文字情報に変換される。この文字情報が、上述したようにＣＢＣ１４から受信側の移動局に同報配信される（Ｓ１２）。あるいは、文字情報をＷｅｂサーバ１７へ転送して電子掲示板１８上で公開し（Ｓ１２）、以下上述したＳ３〜Ｓ８と同様のシーケンスにより同報配信することもできる。
【００５１】
このように音声でメッセージを送信することで、メール機能に不慣れなユーザであっても緊急情報を迅速に周囲のユーザに配信することができる。
【００５２】
その他の実施例として、例えば、ユーザが緊急情報メッセージの送信時に、併せて緊急の程度を示す緊急度（高、中、低など）を併せて指定することも好ましい。緊急度を設定した場合は、例えば、受信側のユーザはＣＢＳメッセージにより緊急度を合わせて受信することで、緊急度の高い緊急情報についてのみ電子掲示板の確認をすることが可能となる。また、上述の移動局の事前設定において緊急度の高いメッセージだけを受信するように、予め設定しておくことも可能である。
【００５３】
また、Ｗｅｂサーバ１７を介さず、メールサーバ１６のみを介して受信側の移動局に緊急情報メールの内容を直接ＣＢＳメッセージとして配信するようにしてもよい。このようにすることで、受信側のユーザが電子掲示板１８にアクセスする時間を省き、更なる情報配信処理の迅速化を図ることができる。
【産業上の利用可能性】
【００５４】
本発明は移動通信ネットワークにおける同報配信システムに適用可能である。
【図面の簡単な説明】
【００５５】
【図１】本発明の一実施形態による情報配信システムの概略的構成図である。
【図２】本発明の第１実施例による情報配信システムを示すシステム構成図である。
【図３】電子掲示板による公開情報フォームの一例を模式的に示す図である。
【図４】図２に示す情報配信システムにおける情報配信手順を示すシーケンス図である。
【図５】本発明の第２実施例による情報配信システムを示すシステム構成図である。
【符号の説明】
【００５６】
１０１  無線アクセスネットワーク
１０２  基地局
１０２ｃ  配信エリア
１０３  コアネットワーク
１０４  地理的エリア同報通信制御局
１０５  公開先サーバ
２０１−２０４  移動局
１０．１、１０．２  基地局
１１  無線ネットワーク制御局
１２  ＳＧＳＮ
１３  ＧＧＳＮ
１４  ＣＢＣ
１５  ＩＰネットワーク
１６  メールサーバ
１７  Ｗｅｂサーバ
１８  電子掲示板
２０  移動局の表示例
３０  ＭＳＣ
３１  ＧＭＳＣ
３２  公衆網
３３  緊急情報格納サーバ
【図１】
2009130558.tif 000003
【図２】
2009130558.tif 000004
【図３】
2009130558.tif 000005
【図４】
2009130558.tif 000006
【図５】
2009130558.tif 000007